【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
貯留層の第１の場所でトレーサを注入するステップであって、前記トレーサは前記貯留層内の地下流体と混合する、前記注入するステップと；
前記貯留層の第２の場所で流体サンプルを収集するステップと；
磁性表面増強ラマン散乱（ＳＥＲＳ）粒子を前記流体サンプルと混合するステップと；
前記混合された流体サンプルに磁場を付与するステップと；
前記流体サンプル中の前記トレーサの存在を検出するために、前記流体サンプルを分析するステップと；を備える、
方法。
【請求項２】
前記磁性ＳＥＲＳ粒子は、非磁性粒子シェルに取り込まれた磁性コア粒子を含み、
前記非磁性粒子シェルは、金属粒子で加飾されている、
請求項１に記載の方法。
【請求項３】
前記磁性コア粒子は、Ｆｅ３Ｏ４、γ‐Ｆｅ２Ｏ３、ＭｎＦｅ２Ｏ４、及びＣｏＦｅ２Ｏ４粒子のうちの少なくとも１種を備える、
請求項２に記載の方法。
【請求項４】
前記金属粒子は、Ａｇ及びＡｕ粒子のうちの少なくとも１種を備える、
請求項２に記載の方法。
【請求項５】
前記非磁性粒子シェルは、ＳｉＯ２を備える、
請求項２に記載の方法。
【請求項６】
前記磁性ＳＥＲＳ粒子は、ＦｅＣｌ３・６Ｈ２Ｏ及びＦｅＳＯ４・７Ｈ２Ｏを用いて合成される、
請求項２に記載の方法。
【請求項７】
前記磁性ＳＥＲＳ粒子は、ＦｅＣｌ２・４Ｈ２Ｏ及びＦｅＳＯ４・７Ｈ２Ｏを用いて合成される、
請求項２に記載の方法。
【請求項８】
前記磁性ＳＥＲＳ粒子は、ＩＧＥＰＡＬ  ＣＯ‐７２０とシクロヘキサンとを含有するマイクロエマルジョンを用いて合成される、
請求項２に記載の方法。
【請求項９】
前記磁性ＳＥＲＳ粒子は、トリエトキシシランとオルトケイ酸テトラエチル（ＴＥＯＳ）とを用いて合成される、
請求項２に記載の方法。
【請求項１０】
前記磁性ＳＥＲＳ粒子は、ＮａＢＨ４にＡｇＮＯ３を加えて合成される、
請求項２に記載の方法。
【請求項１１】
前記磁性ＳＥＲＳ粒子は、マイクロ流体システム内で前記流体サンプルと混合される、
請求項２に記載の方法。
【請求項１２】
前記マイクロ流体システムは、フローセルを備える、
請求項１１に記載の方法。
【請求項１３】
前記磁場は、前記フローセルのチャネルの付近に磁石を配置することによって付与される、
請求項１２に記載の方法。
【請求項１４】
前記トレーサは、フルオロ安息香酸（ＦＢＡ）アナライトである、
請求項１に記載の方法。
【請求項１５】
前記磁性ＳＥＲＳ粒子には有機ラマンマーカが埋め込まれている、
請求項１に記載の方法。
【請求項１６】
磁性表面増強ラマン散乱（ＳＥＲＳ）粒子であって：
金属粒子で加飾された非磁性粒子シェルであって、前記金属粒子はＡｇ及びＡｕ粒子のうちの少なくとも１種を備える、前記非磁性粒子シェルと；
前記非磁性粒子シェル内に取り込まれた磁性コア粒子であって、Ｆｅ３Ｏ４、γ‐Ｆｅ２Ｏ３、ＭｎＦｅ２Ｏ４、及びＣｏＦｅ２Ｏ４粒子のうちの少なくとも１種を備える、前記磁性コア粒子と；を備え、
前記磁性ＳＥＲＳ粒子は、ＩＧＥＰＡＬ  ＣＯ‐７２０とシクロヘキサンとを含有するマイクロエマルジョンを用いて合成された、
磁性表面増強ラマン散乱（ＳＥＲＳ）粒子。
【請求項１７】
前記非磁性粒子シェルは、ＳｉＯ２を備える、
請求項１６に記載の磁性ＳＥＲＳ粒子。
【請求項１８】
前記磁性ＳＥＲＳ粒子は、ＮａＢＨ４にＡｇＮＯ３を加えて合成された、
請求項１６に記載の磁性ＳＥＲＳ粒子。
【請求項１９】
磁性表面増強ラマン散乱（ＳＥＲＳ）粒子であって：
金属粒子で加飾された非磁性粒子シェルであって、前記金属粒子はＡｇ及びＡｕ粒子のうちの少なくとも１種を備える、前記非磁性粒子シェルと；
前記非磁性粒子シェル内に取り込まれた磁性コア粒子であって、Ｆｅ３Ｏ４、γ‐Ｆｅ２Ｏ３、ＭｎＦｅ２Ｏ４、及びＣｏＦｅ２Ｏ４粒子のうちの少なくとも１種を備える、前記磁性コア粒子と；を備え、
前記磁性ＳＥＲＳ粒子は、トリエトキシシランとオルトケイ酸テトラエチル（ＴＥＯＳ）とを用いて合成された、
磁性表面増強ラマン散乱（ＳＥＲＳ）粒子。
【手続補正２】
【補正対象書類名】明細書
【補正対象項目名】００５６
【補正方法】変更
【補正の内容】
【００５６】
したがって、例示の実施についての先の記載は本開示を定義も制約もしない。それ以外の変更、置換、代替も、本開示の主旨及び範囲から逸脱しない限り可能である。
［第１の局面］
貯留層の第１の場所でトレーサを注入するステップであって、前記トレーサは前記貯留層内の地下流体と混合する、前記注入するステップと；
前記貯留層の第２の場所で流体サンプルを収集するステップと；
磁性表面増強ラマン散乱（ＳＥＲＳ）粒子を前記流体サンプルと混合するステップと；
前記混合された流体サンプルに磁場を付与するステップと；
前記流体サンプル中のトレーサの存在を検出するために、前記流体サンプルを分析するステップと；を備える、
方法。
［第２の局面］
前記磁性ＳＥＲＳ粒子は、非磁性粒子シェルに取り込まれた磁性コア粒子を含み、
前記非磁性粒子シェルは、金属粒子で加飾されている、
第１の局面に記載の方法。
［第３の局面］
前記磁性コア粒子は、Ｆｅ３Ｏ４、γ‐Ｆｅ２Ｏ３、ＭｎＦｅ２Ｏ４、及びＣｏＦｅ２Ｏ４粒子のうちの少なくとも１種を備える、
第２の局面に記載の方法。
［第４の局面］
前記金属粒子は、Ａｇ及びＡｕ粒子のうちの少なくとも１種を備える、
第２の局面に記載の方法。
［第５の局面］
前記非磁性粒子シェルは、ＳｉＯ２を備える、
第２の局面に記載の方法。
［第６の局面］
前記磁性ＳＥＲＳ粒子は、ＦｅＣｌ３・６Ｈ２Ｏ及びＦｅＳＯ４・７Ｈ２Ｏを用いて合成される、
第２の局面に記載の方法。
［第７の局面］
前記磁性ＳＥＲＳ粒子は、ＦｅＣｌ２・４Ｈ２Ｏ及びＦｅＳＯ４・７Ｈ２Ｏを用いて合成される、
第２の局面に記載の方法。
［第８の局面］
前記磁性ＳＥＲＳ粒子は、ＩＧＥＰＡＬ  ＣＯ‐７２０とシクロヘキサンとを含有するマイクロエマルジョンを用いて合成される、
第２の局面に記載の方法。
［第９の局面］
前記磁性ＳＥＲＳ粒子は、トリエトキシシランとオルトケイ酸テトラエチル（ＴＥＯＳ）とを用いて合成される、
第２の局面に記載の方法。
［第１０の局面］
磁性ＳＥＲＳ粒子は、ＮａＢＨ４にＡｇＮＯ３を加えて合成される、
第２の局面に記載の方法。
［第１１の局面］
前記磁性ＳＥＲＳ粒子は、マイクロ流体システム内で前記流体サンプルと混合される、
第２の局面に記載の方法。
［第１２の局面］
前記マイクロ流体システムは、フローセルを備える、
第１１の局面に記載の方法。
［第１３の局面］
前記磁場は、前記フローセルのチャネルの付近に磁石を配置することによって付与される、
第１２の局面に記載の方法。
［第１４の局面］
前記トレーサは、フッ素安息香酸（ＦＢＡ）アナライトである、
第１の局面に記載の方法。
［第１５の局面］
前記磁性ＳＥＲＳ粒子には有機ラマンマーカが埋め込まれている、
第１の局面に記載の方法。
［第１６の局面］
磁性表面増強ラマン散乱（ＳＥＲＳ）粒子であって：
金属粒子で加飾された非磁性粒子シェルであって、前記金属粒子はＡｇとＡｕ粒子とのうちの少なくとも１種を備える、前記非磁性粒子シェルと；
前記非磁性粒子シェル内に取り込まれた磁性コア粒子であって、Ｆｅ３Ｏ４、γ‐Ｆｅ２Ｏ３、ＭｎＦｅ２Ｏ４、及びＣｏＦｅ２Ｏ４粒子のうちの少なくとも１種を備える、前記磁性コア粒子と；を備える、
磁性表面増強ラマン散乱（ＳＥＲＳ）粒子。
［第１７の局面］
前記非磁性粒子シェルは、ＳｉＯ２を備える、
第１６の局面に記載の磁性ＳＥＲＳ粒子。
［第１８の局面］
前記磁性ＳＥＲＳ粒子は、ＩＧＥＰＡＬ  ＣＯ‐７２０とシクロヘキサンとを含有するマイクロエマルジョンを用いて合成される、
第１６の局面に記載の磁性ＳＥＲＳ粒子。
［第１９の局面］
前記磁性ＳＥＲＳ粒子は、トリエトキシシランとオルトケイ酸テトラエチル（ＴＥＯＳ）とを用いて合成される、
第１６の局面に記載の磁性ＳＥＲＳ粒子。
［第２０の局面］
前記磁性ＳＥＲＳ粒子は、ＮａＢＨ４にＡｇＮＯ３を加えて合成される、
第１６の局面に記載の磁性ＳＥＲＳ粒子。